(57)【要約】      （修正有）【課題】  数多い、建築確認申請を用途、構造形式（鉄筋コンクリート造、鉄骨鉄筋コンクリート造など）、構造断面仕様（構造物の高さ、柱及び梁の断面寸法、断面係数）、径間（柱の間隔、梁の間隔）、構造計算上必要な寸法を、リストアップし、構造断面データベースを作成し、このデータベースと比較検討して、一次検定し、極端なものを抽出し、それらだけを専門的に、詳細に検査をする方法を提供する。【解決手段】  元来構造計算は、専門的で、地味で、経験が非常に要求される分野である。また近年の、コンピューターによる構造計算の電算化のため、完全に理解できる技術者は少ないのが現状である。そのため、過去のデータを蓄積し、統計的手法により、平均値からの隔たりや、標準偏差により、ミスや偽造をはじき出し、それらのみを精査するシステムを作ること。【選択図】  図１
2007183698.tif 000002
【特許請求の範囲】
【請求項１】
現在まで、確認申請された全ての、構造計算書や構造図を分類し、建物の用途や、構造別に部材の寸法やスパンをデータベース化し、構造設計概要データベースを作成し、専門家でなくても、検査が行える方法
【発明の詳細な説明】
【発明の詳細な説明】
【産業上の利用分野】
【０００１】  この発明は、構造計算書や構造図の必要寸法をデータベース化することにより専門家でないオペレータでも容易に検査が出来る方法に関するものである。
【背景技術】
【０００２】イ、従来、構造設計は構造力学の知識により、建設技術者が設計仕様書と調査測量などで得られた、自然条件（土質、地形条件、などの地域条件）に基づいて、安全で、耐久力のある構造物を設計する技術である。
ロ、構造設計の技術者は、建築基準法の規制により、与えられた建築用地の立地条件、敷地面積から、容積率、建ぺい率、などで、建物の高さと容積を決定する。つまり、築造場所と、敷地が決れば、建物の大きさの上限は決定されることになる。
ハ、構造設計者は、部屋割りと柱の位置、間隔を、有効に配置することにより、構造計算上の経済性を考慮した、構造設計が出来る。すなわち、設計の順序は、間取りを決め、柱、梁、壁の寸法を仮定し、構造計算を行い、それぞれに発生する応力度が許容の範囲内であるように、鉄筋量を設計する。
ニ、一般的に、建築構造物は立地条件や敷地面積により、千差万別であり、構造設計技術者も千差万別であり、その設計計算書も多種多様である。本来、他人の計算書の検算をするためには、その計算書を全て、すなわち、計算過程を全てたどる必要がある。現在の、確認検査時の構造計算の内容検査は、同様に行う必要がある。
ホ、構造設計の出来る人なら、別の自分のやり方で構造設計をして、結果だけを比較すれば、詳細はともかく、大筋で、許容値に入っているかを検査すればよい。すなわち、計算理論や計算過程よりも、計算結果重要であり、重視することである。
ヘ、検算の場合も、同じ計算をそのままやるより、足し算の合計の場合なら、掛け算と引き算の組み合わせで、合計を検算するほうが有効の場合が多い。
ト、現在は、書類検査の建前上、計算結果に導かれた値の如何より、計算書そのものを検査する必要がある。
【発明が解決しようとする課題】
【０００３】従来は、次のような欠点があった。
イ、構造計算書には立地条件や、構造設計者が千差万別であり、提出部署も、千差万別であるため、全ての計算書に目を通すのに、多大な日時と専門的な労力を必要とする。
ロ、実際の構造計算の経験者が少ない。また、構造計算の知識や経験があっても、最近の急速に発達したパソコンによる構造計算や、電算化による、振動工学などの、不静定のフレーム解析などの計算には対応できる人は官民ともに少ない。すなわち、知識と経験パソコン技術を兼ね備えた中高年技術者は少ない。パソコンの発達はある意味では、専門的知識と経験を無用化しているともいえる。
ハ、構造計算上、荷重と支持状態、及び梁の断面寸法とスパンが同じなら、誰が、どのような計算をしても、基本的に同じになるものである。
ニ、同様に、同じ条件の、同じ断面の応力度に対する鉄筋量は同じである。
ホ、この点に着目し、構造計算概要を収集し、分類し、断面ごとの鉄筋量、断面係数ごとの鉄筋量を統計処理し、平均値や標準偏差を算出し、新規の申請と比較し、極端な値、異常値を抜き出し、専門的に精査をすればよい。
本発明は、これらの欠点を除くためのものである。
【課題を解決しようとする手段】
【０００４】イ、構造計算書に標準化し統一した概要書の添付を義務付ける。構造設計概要書は計算書に添付されている場合が多いが、統一したものとする。
ロ、概要書の内容は、設計基準、設計条件、許容応力、柱や梁の間隔、設計断面、使用鉄筋量、計算上の鉄筋量（設計断面「最大応力断面」の主鉄筋量）使用鉄筋量とは違う。
ハ、構造設計上の鉄筋量は、通常主鉄筋のみ算出されるため、副鉄筋、用心鉄筋、配力筋、スターラップ、折り曲げ鉄筋などは、構造計算では算出しない。
ニ、構造図に設計断面と算定鉄筋量を明記する。
ホ、過去の実績を分類すると同時に、今後のデータを同様に整理分析することにより、データを収集蓄積し、平均値や標準値を算定する。また、平均値や標準値の各断面ごとの標準設計を行い、理論的根拠で確認をする。
【作用】
【０００５】イ、確認申請の構造物の断面ごとのデータをデータベース化することにより、分類、検索、抽出が容易となり、類似物件の数値と比較することにより、構造計算の妥当性を検査できる。
ロ、単に、設計条件と、計算結果のみを入力し、過去のデータと比較するだけで、専門的知識を必要とせず、誰でも異常値を発見できる。
ハ、平均値あるいは、標準値と著しく異なる異常値を発見した場合は、専門家による詳細検査を行う。
ニ、各種の構造物を分類、解析することにより、計算書の意図が明確になり、計算方法を改善できる。
ホ、種々雑多な条件と設計計算技術者の違いによる、見かけ上の違いより、算出結果の相違がどの程度のものかがはっきりする。
ヘ、標準設計を行うことにより、構造設計の標準化を図り、任意の構造設計の統一化が図れる。
ト、形式だけの検査を行い、異常値が発見されたときだけ、専門家と構造設計者において、協議再計算等の検討を加えることが出来る。
チ、この過程で新技術による、構造計算や、アイディアを採用でき、新技術の開発につながる可能性がある。
【実施例】
【０００６】イ、構造設計上最も重要な部材は梁である。梁は部材の軸に直角に力が働くため曲げモーメントが働き、それに伴って引っ張り応力が発生する。鉄筋構造物では、この引張り応力を、全て、鉄筋で受け持たせるように設計する。
ロ、コンクリートの構造設計上の強度は０である。梁は鉄筋が配置された寒天としてイメージできる。
ハ、梁の断面は通常縦長の長方形である。同じ面積であれば、曲げ抵抗力は縦が長いほど大きい。
ニ、梁の背の高さは、構造物の床と天井の間隔と、内装のふすま、壁、出入り口のドアーなどで制約を受けるため、設計者の自由な大きさにはならず、ほとんど規格化されている。
ホ、この梁にかかる荷重は、梁自体の自重以外に床からの内装重量、家具その他の重量とその上で生活する人の荷重と壁の重量であり、全てが上から下に働く重力である。
ヘ、構造物の概要すなわち全体の高さ、および階数が決れば荷重状態はおのずと決ってくるはずである。
ト、構造設計概要書は、構造設計に必要な部材の寸法、柱の間隔、配置、階数、など計算に必要な数値を、一覧表にしたもので、各種の設計条件や特記事項を前提にして、計算結果の、鉄筋量などを付加すればよい。
チ、この概要書のデータを、建物用途や地域に分類し、全国展開すれば、属地性の問題（豪雪地帯、台風銀座、強風地域、軟弱地盤、埋立地、流動化地盤）などによる変化の有無の解析にも役立つ。
リ、各種データを統計処理することにより、同一の設計条件における、最大値、最小値、平均値等や、偏差値により異常値を判定できる。
【発明の効果】
【０００７】イ、構造設計上の各種データをデータベース化するだけで、確認検査時に、書類上の検査で、特別な構造計算の知識が無くとも計算値と、過去のデータと比較することにより、異常値を発見できる。
ロ、構造計算の検査を、類似データの統計処理により、標準値を決め、それからの隔たりにより、異常値を発見することが出来るため、専門的な知識は不要である。
ハ、各種データを分類、分析して、標準設計を行い、標準値の構造設計計算上の根拠を明確化できる。
ニ、構造設計と構造計算で算定された値だけを、検討するため、計算方法による、相違は無関係となる。
ホ、今までのように、全ての計算書に目を通す必要が無く、専門家も、異常値について精査できるため、集中して細かい検討が出来る。また、時間や手間を少なくし、業務をコンピータ化出来る。
ヘ、検査業務を簡略化でき、ミスの発見や、改ざんに対処できる。
【図面の簡単な説明】
【図１】構造設計概要データベースの例１床版、梁
【図２】構造設計概要データベースの例２柱
【図１】
2007183698.tif 000003
【図２】
2007183698.tif 000004